(57)【要約】【課題】  患者情報等を表示する電子表示手段にカメラによる患者の映像情報も出画させ、更にカメラの調整等も電子表示手段の同一画面上で実施可能として、ナースコールに対応する際の看護師の負担を軽減する。【解決手段】  ベッド毎にナースコールするための子機１を設け、ナースステーションに子機１からの呼び出しに応答するための通話部６と呼び出しに対応した情報を表示する電子表示手段５を設け、更に電子表示手段５にハブ１１及びＬＡＮケーブル１２を介して病室に設置したカメラ１３を接続した。電子表示手段５は、子機１の呼び出しを画面表示するディスプレイ５ａと、呼び出した子機１に対応したカメラ１３を操作してカメラ１３の映像信号をディスプレイ５ａに表示する制御部８とを有し、呼出信号を送出した子機１に対応するカメラ１３を動作させて、ディスプレイ５ａに対応する情報とカメラ映像をＰＯＰＵＰ表示させた。【選択図】  図１
2005151540.tif 000002
【特許請求の範囲】
【請求項１】
看護師を呼び出すために病室に設けられた複数の子機と、前記子機からの呼出信号に応答するためにナースステーションに設けられた親機とを有するナースコールシステムであって、
病室に、ＴＣＰ／ＩＰ等のデジタルデータプロトコルによって撮影した映像信号を前記親機に送信する少なくとも１台のカメラを備え、
前記親機は、呼出操作をした前記子機に対応する情報を表示するディスプレイを備えた電子表示手段を有し、前記電子表示手段は、呼出操作をした前記子機に対応する映像を撮影するカメラを予め記憶したカメラ情報記憶部と、前記カメラ情報記憶部に記憶したデータに基づいて特定したカメラを撮影操作すると共に、前記カメラから送られてきた映像信号を前記ディスプレイに出画表示する制御を行う制御部とを備えて成ることを特徴とするナースコールシステム。
【請求項２】
廊下等の共用部に設置されて患者の存在を感知する複数のセンサと、前記センサからの呼出信号に応答するためにナースステーションに設けられた親機とを有するナースコールシステムであって、
前記センサを設けた共用部に、ＴＣＰ／ＩＰ等のデジタルデータプロトコルによって撮影した映像信号を前記親機に送信する少なくとも１台のカメラを備え、
前記親機は、呼出操作をした前記センサに対応する情報を表示するディスプレイを備えた電子表示手段を有し、前記電子表示手段は、呼出操作をした前記センサに対応する映像を撮影するカメラを予め記憶したカメラ情報記憶部と、前記カメラ情報記憶部に記憶したデータに基づいて特定したカメラを撮影操作すると共に、前記カメラから送られてきた映像信号を前記ディスプレイに出画表示する制御を行う制御部とを備えて成ることを特徴とするナースコールシステム。
【請求項３】
看護師を呼び出すために病室に設けられた複数の子機、及び廊下等の共用部に備えられて患者の存在を感知する複数のセンサと、前記子機やセンサからの呼出信号に応答するためにナースステーションに設けられた親機とを有するナースコールシステムであって、
病室及び共用部に、ＴＣＰ／ＩＰ等のデジタルデータプロトコルによって撮影した映像信号を前記親機に送信する複数のカメラを備え、
前記親機は、呼出操作をした前記子機やセンサに対応する情報を画面表示するディスプレイを備えた電子表示手段を有し、前記電子表示手段は、呼出操作をした前記子機やセンサに対応する映像を撮影するカメラを予め記憶したカメラ情報記憶部と、前記カメラ情報記憶部に記憶したデータに基づいて特定したカメラを撮影操作すると共に、前記カメラから送られてきた映像信号を前記ディスプレイに出画表示する制御を行う制御部とを備えて成ることを特徴とするナースコールシステム。
【請求項４】
前記親機は、前記呼出信号を起動信号として、前記カメラ撮像映像を前記電子表示手段に表示することを特徴とする請求項１乃至３の何れかに記載のナースコールシステム。
【請求項５】
前記電子表示手段は、ＰＯＰＵＰ等のマルチウインドウシステムを用いて前記映像を表示することを特徴とする請求項１乃至４の何れかに記載のナースコールシステム。
【請求項６】
前記電子表示手段は、各々の前記子機に対応する患者氏名，性別，年齢等の患者管理データ、及び各々の前記センサに対応するセンサ位置データ等のセンサ管理データを記憶する管理データ記憶部を有し、前記映像を表示する際に、呼び出しのあった前記子機又はセンサに対応する前記管理データを併せて表示することを特徴とする請求項１乃至５の何れかに記載のナースコールシステム。
【請求項７】
前記電子表示手段は、各々の前記子機に対応する患者の救護区分、医師名、看護師名、診療科目名等の医療・看護データを記憶する医療・看護データ記憶部を有し、前記映像を表示する際に、前記呼び出しのあった子機に対応する医療・看護データを併せて表示することを特徴とする請求項１，３，４，５の何れかに記載のナースコールシステム。
【請求項８】
前記電子表示手段は、待ち受け画面に病室レイアウトを表示していることを特徴とする請求項１乃至７の何れかに記載のナースコールシステム。
【請求項９】
前記電子表示手段は、待ち受け画面に前記患者管理データを表示していることを特徴とする請求項６又は８に記載のナースコールシステム。
【請求項１０】
前記電子表示手段は、前記映像を表示する際に、前記患者管理データ或いは前記医療・看護データのうち少なくとも１つを、ＰＯＰＵＰ等のマルチウインドウシステムを用いて表示することを特徴とする請求項６乃至９の何れかに記載のナースコールシステム。
【請求項１１】
前記電子表示手段は、前記子機又は前記センサからの呼び出しの優先順位を記憶しており、前記子機又は前記センサからの呼出信号が同時に複数あった場合に、優先順位の高い順に呼び出しのあった複数のカメラ映像を前記電子表示手段に表示することを特徴とする請求項１乃至１０の何れかに記載のナースコールシステム。
【請求項１２】
前記電子表示手段は、前記子機又は前記センサからの呼び出しの優先順位を記憶しており、前記子機又は前記センサからの呼出信号が複数入力された場合、最優先の呼出信号に対応する映像のみを表示することを特徴とする請求項１乃至１０の何れかに記載のナースコールシステム。
【請求項１３】
前記電子表示手段は、最優先の呼出信号に対応する映像を、他の呼出信号に対応する映像に比べて大きく表示することを特徴とする請求項１１記載のナースコールシステム。
【請求項１４】
前記電子表示手段は、前記子機又は前記センサから呼び出しがない場合に、所望するカメラ映像を前記電子表示手段に表示させる選択表示機能を有することを特徴とする請求項１乃至１３の何れかに記載のナースコールシステム。
【請求項１５】
前記子機又は前記センサから呼び出しがない場合に表示できるカメラ映像が、廊下等の共用部の映像であることを特徴とする請求項１４記載のナースコールシステム。
【請求項１６】
各々のカメラの近傍にはカメラの動作を表示する動作表示灯を設け、前記電子表示手段は、映像を前記電子表示手段に表示する際に、作動中のカメラ近傍に設けた前記動作表示灯を点灯操作することを特徴とする請求項１乃至１５の何れかに記載のナースコールシステム。
【請求項１７】
前記電子表示手段は、前記動作表示灯の点灯操作を止める消灯ボタンを有することを特徴とする請求項１６記載のナースコールシステム。
【請求項１８】
前記カメラは撮影方向を変更でき、１台のカメラが複数の子機或いはセンサに対応して撮影できることを特徴とする請求項１乃至１７の何れかに記載のナースコールシステム。
【請求項１９】
前記電子表示手段は、前記カメラ情報記憶部に、呼出信号に対応したカメラ及びカメラの少なくとも角度情報を記憶してあり、呼出信号を受けたら、記憶した前記情報に基づいて前記カメラの向き等を変更することを特徴とする請求項１８記載のナースコールシステム。
【請求項２０】
前記電子表示手段は、前記カメラの少なくとも角度を変更するためのカメラ設定機能を有して表示画面上にその設定手段を備え、前記表示画面上の操作で前記カメラの角度等の変更が可能なことを特徴とする請求項１９記載のナースコールシステム。
【請求項２１】
前記設定手段は、呼出中、通話中、待機中の何れの状態であっても、操作可能であることを特徴とする請求項２０記載のナースコールシステム。
【請求項２２】
前記設定手段は、前記カメラ情報記憶部に記憶されているカメラの角度情報等のデータを変更するプリセットボタンを有し、
前記プリセットボタンの操作により、前記制御部は前記カメラ情報記憶部のデータを変更したデータに書き換え、次回のカメラ動作から書き換えたデータに基づいて動作することを特徴とする請求項２０又は２１記載のナースコールシステム。
【請求項２３】
前記電子表示手段は、火災等の非常事態発生時に、廊下等の共用部のカメラ映像を前記電子表示手段に表示する非常時表示機能を備えたことを特徴とする請求項１乃至２２の何れかに記載のナースコールシステム。
【請求項２４】
前記電子表示手段は、火災等の非常事態発生時に、前記医療・看護データの中の救護区分データから移動の困難な患者を特定し、その患者のベッドを撮影したカメラ映像を前記電子表示手段に表示する非常時表示機能を備えたことを特徴とする請求項７乃至２３の何れかに記載のナースコールシステム。
【請求項２５】
前記電子表示手段は、ハブを介してサーバと接続され、前記患者管理データ及び前記医療・看護データのうち少なくとも１つをサーバから取得すると共に、前記カメラがＷＥＢカメラであって前記ハブを介して前記電子表示手段に接続されて成ることを特徴とする請求項６乃至２４の何れかに記載のナースコールシステム。
【請求項２６】
前記親機は、前記カメラから送られて前記ディスプレイに出画表示した映像信号を、静止画または動画として保存する映像記憶部を有すること特徴とする請求項１乃至３の何れかに記載のナースコールシステム。
【請求項２７】
前記親機はサーバに接続され、前記親機及びサーバのうち少なくとも一方に前記カメラから送られて前記ディスプレイに出画表示した映像信号を、静止画または動画として保存する映像記憶部を有することを特徴とする請求項１乃至３の何れかに記載のナースコールシステム。
【請求項２８】
前記ディスプレイに出画表示した映像信号を保存する／しないを患者ごとに設定することが可能であることを特徴とする請求項２６又は２７に記載のナースコールシステム。
【請求項２９】
前記ディスプレイに出画表示した映像信号を保存する／しないを呼出種別毎に設定することを特徴とする請求項２６又は２７に記載のナースコールシステム。
【請求項３０】
前記親機は、所定の時間帯においてのみ前記ディスプレイに出画表示した映像信号の保存を実施することを特徴とする請求項２６乃至２９の何れかに記載のナースコールシステム。
【請求項３１】
前記子機からの呼び出しを報知するための廊下表示灯と、前記親機及び前記廊下表示灯を制御する制御装置を有すると共に、前記親機は、所定の時間帯においてのみ前記カメラから送られて前記ディスプレイに出画表示した映像信号を、静止画または動画として保存する映像記憶部を有し、
前記制御装置は、前記所定の時間帯で前記センサが呼出操作をしたら、前記親機または前記廊下表示灯から警報を発する制御を行うことを特徴とする請求項２又は３記載のナースコールシステム。
【請求項３２】
警報を発している前記親機又は前記廊下表示灯の所定の操作により、前記警報動作は停止することを特徴とする請求項３１記載のナースコールシステム。
【請求項３３】
前記親機は、前記録画をする時間帯に録画及び／又は警報を発する動作を停止する停止手段を有することを特徴とする請求項３１又は３２に記載のナースコールシステム。
【請求項３４】
前記親機は、前記映像記憶部の空き容量を把握し、空き容量が無くなったら保存された古い映像信号から順に上書きすることを特徴とする請求項２６乃至３３の何れかに記載のナースコールシステム。
【請求項３５】
前記保存された映像信号は、前記子機或いは前記センサからの呼出時刻等の呼出情報に関連付けられて記憶されることを特徴とする請求項２６乃至３４の何れかに記載のナースコールシステム。
【請求項３６】
前記保存された映像信号は、映像信号ごとに消去可／不可を設定可能であることを特徴とする請求項２６乃至３５の何れかに記載のナースコールシステム。
【請求項３７】
前記親機は、前記カメラの撮像映像を前記ディスプレイに出画表示している時に、その出画映像信号を保存操作する録画ボタンを前記ディスプレイに併せて表示し、前記録画ボタンの操作により静止画または動画として保存することを特徴とする請求項２６又は２７に記載のナースコールシステム。
【請求項３８】
前記親機或いは前記サーバに保存した映像信号は外部に取り出すことが可能であることを特徴とする請求項２６乃至３７の何れかに記載のナースコールシステム。
【請求項３９】
前記電子表示手段は、前記映像記憶部に保存した映像信号を前記ディスプレイに一覧表示させるビューア機能を有することを特徴とする請求項２６乃至３８の何れかに記載のナースコールシステム。
【発明の詳細な説明】
【技術分野】
【０００１】
本発明は、患者からの呼び出しに応答して音声と映像で患者の状態を把握したり、徘徊者を検知するナースコールシステムに関し、詳しくは子機或いはセンサの呼出操作によって、ナースステーションに設けた電子表示手段に、呼び出した子機或いはセンサに対応する情報を表示すると共に、対応したカメラ映像も同時に出画するナースコールシステムに関する。
【背景技術】
【０００２】
従来から、病室のベッド近傍に設けた子機を患者が操作して看護師を呼び出した際に、カメラにて呼出操作をした患者を撮影し、患者をナースステーションに設置した出画装置に出画させて、患者の容体を確認しながらナースコール通話を行うナースコールシステム（例えば、特許文献１参照。）があった。また、徘徊者を監視する装置として、患者個々に発信器を携帯させ、徘徊者が所定エリア内に居るか監視する装置（例えば、特許文献２参照。）があった。
【特許文献１】特開平８−２８７３８３号公報
【特許文献２】特開２００３−２５６９５２号公報
【発明の開示】
【発明が解決しようとする課題】
【０００３】
しかし、上記従来のナースコールシステムは、カメラで撮影した映像を表示するための専用の表示手段とその映像を制御する映像制御装置が必要であり、システムが大掛かりになるし、患者を映し出すための出画装置が、ナースコールの通話部及び患者情報を表示する表示部とから必然的に離れてしまうため、患者情報を得ながら患者と話し、同時に患者映像を見ることは大変であり看護師に努力を要求していた。
また、徘徊者を監視する上記従来の監視装置は、個々の患者に発信器を携帯させる他に、複数のセンサ、受信機等が必要であり、従来のナースコールシステムとは独立したシステムで構成されていた。そのため、ナースコールシステムと徘徊者監視装置の双方を設置しようとすると大掛かりな工事及びコストがかかった。
更に、徘徊者に加えて不審者があった場合、映像は後から見ることができなかったため、人物の特定が難しかった。
【０００４】
そこで、本発明はこのような問題点に鑑み、患者情報等を表示する電子表示手段にカメラによる患者の映像情報も出画させ、更にカメラの調整等も電子表示手段の同一画面上で実施可能として、ナースコールに対応する際の看護師の負担を軽減する共に、患者からの呼び出しと徘徊者検知を一体化して設置コストの低減を図ることを目的とする。更に、出画させた映像を容易に保存できるナースコールシステムを提供することを目的とする。
【課題を解決するための手段】
【０００５】
上記課題を解決するため、請求項１の発明は、看護師を呼び出すために病室に設けられた複数の子機と、前記子機からの呼出信号に応答するためにナースステーションに設けられた親機とを有するナースコールシステムであって、病室に、ＴＣＰ／ＩＰ等のデジタルデータプロトコルによって撮影した映像信号を親機に送信する少なくとも１台のカメラを備え、親機は、呼出操作をした子機に対応する情報を表示するディスプレイを備えた電子表示手段を有し、電子表示手段は、呼出操作をした子機に対応する映像を撮影するカメラを予め記憶したカメラ情報記憶部と、カメラ情報記憶部に記憶したデータに基づいて特定したカメラを撮影操作すると共に、カメラから送られてきた映像信号をディスプレイに出画表示する制御を行う制御部とを備えて成ることを特徴とする。
この構成により、子機からの呼び出しがあったら、呼び出した子機に対応したカメラを操作して電子表示手段に撮像映像を表示するので、呼出表示とカメラ映像を同一画面に表示することができる。そのため、応答する看護師の負担を軽減できる。
【０００６】
請求項２の発明は、廊下等の共用部に設置されて患者の存在を感知する複数のセンサと、センサからの呼出信号に応答するためにナースステーションに設けられた親機とを有するナースコールシステムであって、センサを設けた共用部に、ＴＣＰ／ＩＰ等のデジタルデータプロトコルによって撮影した映像信号を親機に送信する少なくとも１台のカメラを備え、親機は、呼出操作をした前記センサに対応する情報を表示するディスプレイを備えた電子表示手段を有し、電子表示手段は、呼出操作をしたセンサに対応する映像を撮影するカメラを予め記憶したカメラ情報記憶部と、カメラ情報記憶部に記憶したデータに基づいて特定したカメラを撮影操作すると共に、カメラから送られてきた映像信号をディスプレイに出画表示する制御を行う制御部とを備えて成ることを特徴とする。
この構成により、センサから呼び出しがあったら、センサに対応してカメラを操作して電子表示手段に撮像映像を表示するので、呼出表示とカメラ映像を同一画面に表示することができる。そのため、対応する看護師の負担を軽減できる。
【０００７】
請求項３の発明は、看護師を呼び出すために病室に設けられた複数の子機、及び廊下等の共用部に備えられて患者の存在を感知する複数のセンサと、子機やセンサからの呼出信号に応答するためにナースステーションに設けられた親機とを有するナースコールシステムであって、病室及び共用部に、ＴＣＰ／ＩＰ等のデジタルデータプロトコルによって撮影した映像信号を親機に送信する複数のカメラを備え、親機は、呼出操作をした子機やセンサに対応する情報を画面表示するディスプレイを備えた電子表示手段を有し、電子表示手段は、呼出操作をした子機やセンサに対応する映像を撮影するカメラを予め記憶したカメラ情報記憶部と、カメラ情報記憶部に記憶したデータに基づいて特定したカメラを撮影操作すると共に、カメラから送られてきた映像信号をディスプレイに出画表示する制御を行う制御部とを備えて成ることを特徴とする。
この構成により、子機やセンサからの呼び出しがあったら、呼び出した子機やセンサに対応したカメラを操作して電子表示手段に撮像映像を表示するので、呼出表示とカメラ映像を同一画面に表示することができる。そのため、対応する看護師の負担を軽減できるし、患者からのナースコールと徘徊監視を一体のシステムとして構成するのでシステムを安価に構築できる。
【０００８】
請求項４の発明は、請求項１乃至３の何れかに記載の発明において、親機は、呼出信号を起動信号として、カメラ撮像映像を電子表示手段に表示することを特徴とする。
この構成により、カメラ動作のための特別な制御スイッチを必要としないことに加え、呼び出した子機やセンサを容易に表示できる。
【０００９】
請求項５の発明は、請求項１乃至４の何れかに記載の発明において、電子表示手段は、ＰＯＰＵＰ等のマルチウインドウシステムを用いて映像を表示することを特徴とする。
この構成により、待ち受け時の画面レイアウトを見ながら通話することが可能となる。
【００１０】
請求項６の発明は、請求項１乃至５の何れかに記載の発明において、電子表示手段は、各々の子機に対応する患者氏名，性別，年齢等の患者管理データ、及び各々のセンサに対応するセンサ位置データ等のセンサ管理データを記憶する管理データ記憶部を有し、映像を表示する際に、呼び出しのあった子機又はセンサに対応する管理データを併せて表示することを特徴とする。
この構成により、患者の表情に加えて、氏名年齢等を同時に確認しながら通話することが可能となるし、呼び出したセンサ場所を容易に把握できる。
【００１１】
請求項７の発明は、請求項１，３，４，５の何れかに記載の発明において、電子表示手段は、各々の子機に対応する患者の救護区分、医師名、看護師名、診療科目名等の医療・看護データを記憶する医療・看護データ記憶部を有し、映像を表示する際に、呼び出しのあった子機に対応する医療・看護データを併せて表示することを特徴とする。
この構成により、患者の表情に加えて、病状等を同時に確認しながら通話することができる。
【００１２】
請求項８の発明は、請求項１乃至７の何れかに記載の発明において、電子表示手段は、待ち受け画面に病室レイアウトを表示していることを特徴とする。
この構成により、病室位置を把握し易いし、病室毎に区切って患者名を表示すれば、呼び出しをした患者の病室位置を容易に把握できる。
【００１３】
請求項９の発明は、請求項６又は８に記載に発明において、電子表示手段は、待ち受け画面に患者管理データを表示していることを特徴とする。
この構成により、各患者の基本情報を容易に把握できる。
【００１４】
請求項１０の発明は、請求項６乃至９の何れかに記載の発明において、電子表示手段は、映像を表示する際に、患者管理データ或いは医療・看護データのうち少なくとも１つを、ＰＯＰＵＰ等のマルチウインドウシステムを用いて表示することを特徴とする。
この構成により、待ち受け時の画面レイアウトを見ながらの通話が可能となる。
【００１５】
請求項１１の発明は、請求項１乃至１０の何れかの発明において、電子表示手段は、子機又はセンサからの呼び出しの優先順位を記憶しており、子機又はセンサからの呼出信号が同時に複数あった場合に、優先順位の高い順に呼び出しのあった複数のカメラ映像を電子表示手段に表示することを特徴とする。
この構成により、同時に複数の呼び出しがあっても、対応する看護師の判断によらず、的確に対応することが可能となる。
【００１６】
請求項１２記載の発明は、請求項１乃至１０の何れかに記載の発明において、電子表示手段は、子機又はセンサからの呼び出しの優先順位を記憶しており、子機又はセンサからの呼出信号が複数入力された場合、最優先の呼出信号に対応する映像のみを表示することを特徴とする。
この構成により、複数の呼び出しがあっても、必要な情報のみを見ながら呼び出しに対して応答することができ、看護師の応答操作に対する負担を軽減できる。
【００１７】
請求項１３の発明は、請求項１１に記載の発明において、電子表示手段は、最優先の呼出信号に対応する映像を、他の呼出信号に対応する映像に比べて大きく表示することを特徴とする。
この構成により、次に応答すべき患者の映像がどれか容易に認識できる。
【００１８】
請求項１４の発明は、請求項１乃至１３の何れかに記載の発明において、電子表示手段は、子機又はセンサから呼び出しがない場合に、所望するカメラ映像を電子表示手段に表示させる選択表示機能を有することを特徴とする。
この構成により、呼び出しが無い場合でも患者の映像を表示させることが可能で、患者の容体をナースステーションに居ながら知ることができる。
【００１９】
請求項１５の発明は、請求項１４に記載の発明において、子機又はセンサから呼び出しがない場合に表示できるカメラ映像が、廊下等の共用部の映像であることを特徴とする。
この構成により、患者に対して覗き見されると言う意識を持たせることがない。
【００２０】
請求項１６の発明は、請求項１乃至１５の何れかに記載の発明において、各々のカメラの近傍にはカメラの動作を表示する動作表示灯を設け、電子表示手段は、映像を電子表示手段に表示する際に、作動中のカメラ近傍に設けた動作表示灯を点灯操作することを特徴とする。
この構成により、患者に対して表示灯消灯時にはモニターされていないという安心感を与えることができ、見られていると言う意識を和らげることができる。
【００２１】
請求項１７の発明は、請求項１６記載の発明において、電子表示手段は、動作表示灯の点灯操作を止める消灯ボタンを有することを特徴とする。
この構成により、看護師は患者に気づかれることなく患者の容体を知ることができる。
【００２２】
請求項１８の発明は、請求項１乃至１７の何れかに記載の発明において、カメラは撮影方向を変更でき、１台のカメラが複数の子機或いはセンサに対応して撮影できることを特徴とする。
この構成により、子機或いはセンサ数に比べてカメラ設置数を削減でき、低コストでシステムを構築できる。
【００２３】
請求項１９の発明は、請求項１８に記載の発明において、電子表示手段は、カメラ情報記憶部に、呼出信号に対応したカメラ及びカメラの少なくとも角度情報を記憶してあり、呼出信号を受けたら、記憶した情報に基づいてカメラの向き等を変更することを特徴とする。
この構成により、カメラの角度等の調整を呼び出し毎に行う必要がない。
【００２４】
請求項２０の発明は、請求項１９に記載の発明において、電子表示手段は、カメラの少なくとも角度を変更するためのカメラ設定機能を有して表示画面上にその設定手段を備え、表示画面上の操作でカメラの角度等の変更が可能なことを特徴とする。
この構成により、別途設定装置を設けることなく、容易にカメラの角度等の調整ができる。
【００２５】
請求項２１の発明は、請求項２０記載の発明において、設定手段は、呼出中、通話中、待機中の何れの状態であっても、操作可能であることを特徴とする。
この構成により、カメラの角度等の調整を、待ち受け時だけでなく、通話中であっても実施できる。
【００２６】
請求項２２の発明は、請求項２０又は２１に記載の発明において、設定手段は、カメラ情報記憶部に記憶されているカメラの角度情報等のデータを変更するプリセットボタンを有し、プリセットボタンの操作により、制御部はカメラ情報記憶部のデータを変更したデータに書き換え、次回のカメラ動作から書き換えたデータに基づいて動作することを特徴とする。
この構成により、カメラの角度情報等のデータを変更したデータに書き換え、次回のカメラ動作時に所望の角度で動作させることができる。
【００２７】
請求項２３の発明は、請求項１乃至２２の何れかに記載の発明において、電子表示手段は、火災等の非常事態発生時に、廊下等の共用部のカメラ映像を電子表示手段に表示する非常時表示機能を備えたことを特徴とするナースコールシステム。
この構成により、火災等の非常事態発生時に、電子表示手段は廊下等の共用部を表示するので、避難誘導する際に役立てることができる。
【００２８】
請求項２４の発明は、請求項７乃至２３の何れかに記載の発明において、電子表示手段は、火災等の非常事態発生時に、医療・看護データの中の救護区分データから移動の困難な患者を特定し、その患者のベッドを撮影したカメラ映像を電子表示手段に表示する非常時表示機能を備えたことを特徴とする。
この構成により、火災等の非常事態発生時に、移動の困難な患者を特定し、電子表示手段はそのベッド映像等を表示できるため、個々の患者の的確な避難誘導を実施することが可能となる。
【００２９】
請求項２５の発明は、請求項６乃至２４の何れかに記載の発明において、電子表示手段は、ハブを介してサーバと接続され、患者管理データ及び医療・看護データのうち少なくとも１つをサーバから取得すると共に、カメラがＷＥＢカメラであってハブを介して電子表示手段に接続されて成ることを特徴とする。
この構成により、カメラ等の配線工事が容易に実施できるし、ハブの共用によるコストダウンを図ることができる。
【００３０】
請求項２６の発明は、請求項１乃至３の何れかに記載の発明において、親機は、カメラから送られてディスプレイに出画表示した映像信号を、静止画または動画として保存する映像記憶部を有すること特徴とする。
この構成により、呼び出しをした患者の状態やセンサ動作によるカメラ映像を後で表示させて確認することができ、患者の容体を的確に判断したり徘徊者、不審者の特定に役立つ。
【００３１】
請求項２７の発明は、請求項１乃至３の何れかに記載の発明において、親機はサーバに接続され、親機及びサーバのうち少なくとも一方にカメラから送られてディスプレイに出画表示した映像信号を、静止画または動画として保存する映像記憶部を有することを特徴とする。
この構成により、呼び出しをした患者の状態やセンサ動作によるカメラ映像を後で表示させて確認することができ、患者の状態を的確に判断したり不審者の特定に役立つ。また、全てサーバに保存すれば親機の負担を軽減できるし、親機とサーバの双方に保存すれば、一方をバックアップデータにできる。
【００３２】
請求項２８の発明は、請求項２６又は２７に記載の発明において、ディスプレイに出画表示した映像信号を保存する／しないを患者ごとに設定することが可能であることを特徴とする。
この構成により、映像記憶部に無意味な映像が保存されることが無くなり容量を軽減できる。
【００３３】
請求項２９の発明は、請求項２６又は２７に記載の発明において、ディスプレイに出画表示した映像信号を保存する／しないを呼出種別毎に設定することを特徴とする。
尚、呼出種別とは、患者が看護師を呼び出す通常呼出、点滴の終了を知らせる点滴呼出、看護師が緊急時に他のスタッフを呼び出す緊急呼出、トイレ介助を看護師に伝えるトイレ呼出等があり、親機にてそれらが判別できるようになっている。
この構成により、全てのカメラの映像信号を保存するのに比べ、映像記憶部の容量を削減できる。
【００３４】
請求項３０の発明は、請求項２６乃至２９の何れかに記載の発明において、親機は、所定の時間帯においてのみディスプレイに出画表示した映像信号の保存を実施することを特徴とする。
この構成により、例えば見舞客の往来が多い時間帯は保存しないよう設定することで、患者以外による子機の誤操作やセンサの誤動作によるカメラ映像をいちいち保存することがなくなる。
【００３５】
請求項３１の発明は、請求項２又は３記載の発明において、子機からの呼び出しを報知するための廊下表示灯と、親機及び廊下表示灯を制御する制御装置を有すると共に、親機は、所定の時間帯においてのみカメラから送られてディスプレイに出画表示した映像信号を、静止画または動画として保存する映像記憶部を有し、制御装置は、所定の時間帯でセンサが呼出操作をしたら、親機または廊下表示灯から警報を発する制御を行うことを特徴とする。
この構成により、例えば患者が徘徊している場合や不審者が侵入曽田場合、その映像信号を保存するのに加え報知するので、看護師は速やかにそれに対処できる。
【００３６】
請求項３２の発明は、請求項３１に記載の発明において、警報を発している親機又は廊下表示灯の所定の操作により警報動作は停止することを特徴とする。
この構成により、看護師はセンサ動作場所を認識できるし、警報が長時間発せられることがない。
【００３７】
請求項３３の発明は、請求項３１又は３２に記載の発明において、親機は、録画をする時間帯に録画及び／又は警報を発する動作を停止する停止手段を有することを特徴とする。
この構成により、看護師が見回りに行く場合や緊急時、或いはメンテナンス等の際に、映像の保存や警報動作を停止させることができ、不必要な警報を報ずるのを防ぐことができる。
【００３８】
請求項３４の発明は、請求項２６乃至３３の何れかに記載の発明において、親機は、映像記憶部の空き容量を把握し、空き容量が無くなったら保存された古い映像信号から順に上書きすることを特徴とする。
この構成により、映像記憶部の空き容量が無くなっても、古い映像データから書き換えられるので、重要度の高い新しいデータが消失するようなことが無い。
【００３９】
請求項３５の発明は、請求項２６乃至３４の何れかに記載の発明において、保存された映像信号は、子機或いはセンサからの呼出時刻等の呼出情報に関連付けられて記憶されることを特徴とする。
この構成により、個々の映像データの保存時刻（呼出時刻）や撮影場所或いは撮影患者名を知ることができ、患者がどのような要求時に呼び出しが成されたか判断するのに役立つ。
【００４０】
請求項３６の発明は、請求項２６乃至３５の何れかに記載の発明において、保存された映像信号は、映像信号ごとに消去可／不可を設定可能であることを特徴とする。
この構成により、重要な映像信号は消去されないよう設定できる。
【００４１】
請求項３７の発明は、請求項２６又は２７に記載の発明において、親機は、カメラの撮像映像をディスプレイに出画表示している時に、その出画映像信号を保存操作する録画ボタンをディスプレイに併せて表示し、録画ボタンの操作により静止画または動画として保存することを特徴とする。
この構成により、映像の保存操作がし易いし、表示された映像を見ながら保存の可否を判断するので、不必要な映像信号を保存するようなことがない。
【００４２】
請求項３８の発明は、請求項２６乃至３７の何れかに記載の親機或いはサーバに保存した映像信号は外部に取り出すことが可能であることを特徴とする。
この構成により、保存した映像信号を取り出すことができるので、別途記録媒体に保存する事も可能である。
【００４３】
請求項３９の発明は、請求項２６乃至３８の何れかに記載の発明において、電子表示手段は、映像記憶部に保存した映像信号をディスプレイに一覧表示させるビューア機能を有することを特徴とする。
この構成により、保存した映像信号を一覧にして見ることができ、見たい映像信号を速やかに選択できる。
【発明の効果】
【００４４】
このように本発明によれば、子機或いはセンサからの呼び出しに対し、呼び出した子機或いはセンサに対応したカメラが動作して、電子表示手段に呼出信号を送出した子機或いはセンサに対応する情報と合わせて撮像映像を表示するので、同一画面に必要な情報を全て表示することができる。そのため、対応する看護師は、目線を大きく移動することなく、患者からの呼び出しに対しては患者と通話しながら必要な情報を得ることができ、ナースコール通話での負担を軽減できる。また、ナースコールと徘徊監視を一体のシステムとして構成するので、システムを安価に構築できる。
また、ディスプレイに表示した撮像映像を後で表示させて確認することができるので、患者の容体の的確な判断や、徘徊者、不審者の監視や特定に役立つ。
【発明を実施するための最良の形態】
【００４５】
以下、本発明を具体化した実施の形態を、図面に基づいて詳細に説明する。図１は本発明に係るナースコールシステムのブロック図を示し、１は病室のベッド毎に設けられ、看護師を呼び出すための呼出ボタンを備えた子機、２は子機１に応答するための親機、３は徘徊者を感知するために設けられた人感センサ等のセンサを示し、親機２は、子機１或いはセンサ３からの呼び出しに対応して患者情報或いは徘徊者情報を表示する電子表示手段５、呼び出しをした患者と通話するための通話部６を有し、７はシステム全体を制御する制御装置である。
【００４６】
電子表示手段５は、様々な情報を画面に表示するディスプレイ５ａと、その制御部８及び患者情報等を記憶した記憶部９を備えた本体５ｂとから構成され、ハブ１１を介してＬＡＮケーブル１２により複数のカメラ１３（１３ａ，１３ｂ）に接続されている。更に、電子表示手段５は、ハブ１１を介してサーバ１４に接続されている。
記憶部９には、各患者の氏名、性別、年齢、等の患者管理データ、及び各々のセンサに対応するセンサ位置データ等を記憶するセンサ管理データ記憶部、個々の患者の救護区分、医師名、看護師名、診療科目、呼び出しがあった際の優先度等の医療・看護データを記憶する医療・看護データ記憶部、カメラ１３と子機１或いはセンサ３の対応テーブルを記憶したカメラ情報記憶部、更にディスプレイ５ａに出画映像を記憶する映像記憶部９ａが設けられ、個々の情報は適宜書き換えられて記憶されている。また、サーバ１４にも第２の映像記憶部１４ａが設けられている。
【００４７】
尚、電子表示手段５は専用の装置としているが、パーソナルコンピュータを使用することもできる。また、管理データ記憶部、医療・看護データ記憶部等も映像記憶部と同等にサーバ１４に設けても良い。そうすることで、電子表示手段５のメモリ容量を軽減でき、簡易な構成にできる。このとき、サーバ１４への記録操作は電子表示手段５から行えば良いし、電子表示手段５のデータの読み込みは、必要に応じて適宜実施すればよい。
【００４８】
上述するように、カメラ１３は、ハブ１１を介して電子表示手段５に接続されているため、ＷＥＢカメラが使用され、デジタル信号で授受するよう構成されている。そして、電子表示手段５の制御部８は、カメラ１３からのデジタル映像信号をディスプレイ５ａで閲覧可能なフォーマットに変換し、ディスプレイ５ａに映像信号を送出し、ディスプレイ５ａはその映像を出画している。このように、カメラにより撮影された映像は、ＴＣＰ／ＩＰ等のデジタルデータプロトコルによって電子表示手段５に送信される。
また、カメラ１３は何れもパン／チルト操作が可能となっており、病室に設置されたカメラ１３ａは１台のカメラで複数のベッドを撮影可能に配置され、死角が発生しないように設置されている。また、廊下等に設置されたカメラ１３ｂも、複数のセンサに対応可能に配置され、呼出動作をしたセンサ３に対応する方向を撮影可能となっている。また、子機１或いはセンサ３は廊下表示灯１５を介して信号線１６により制御装置７に接続されている。
そして、１７はカメラ１３が撮影中であることを発光表示する動作表示灯であり、それぞれのカメラ１３の近傍に設けられ、同様に廊下表示灯１５を介して制御装置７に接続されている。
【００４９】
こうして設置されたカメラ１３は、電子表示手段５により操作される。電子表示手段５の記憶部９には、カメラ１３と子機１或いはセンサ３の対応テーブルを記憶したカメラ情報記憶部を有し、そのカメラ情報記憶部には、夫々の子機１或いはセンサ３に対するパン／チルト情報が記憶されている。子機１或いはセンサ３からの呼び出しがあったら、制御部８は対応するカメラ１３を選択し、記憶されている角度等の情報をもとに、選択したカメラ１３の角度等を調整して所定の部位を撮影操作する。
このように、カメラ１３にパン／チルト機能を持たせることで、子機１或いはセンサ３の数に対してカメラ１３を削減でき、低コストでシステムを構築できる。また、呼出元に合わせてカメラ１３の角度等をプリセットしてあるので、記憶した情報により自動でカメラ１３は動作し、カメラ１３の角度調整等を呼び出し毎に行う必要がない。
【００５０】
図２は、電子表示手段５のディスプレイ５ａ表示画面の一例を示し、子機１が操作されて看護師の呼び出しが成された状態の表示画面を示している。また、図８はこの表示状態のディスプレイ画面写真を示している。図２において、２１はＰＯＰＵＰ表示部、２２は待ち受け画面の状態でも表示される病棟平面図であり、この病棟平面図には、全てのベッドが病室単位で区切って表示され、患者氏名、性別等の患者管理データ、患者の救護区分等の医療・看護データも併せて表示されている。
また、ＰＯＰＵＰ表示部２１のうち、２１ａは呼出操作をした患者の患者管理データ及び医療・看護データ等のデータを表示するデータ表示部であり、待ち受け画面より詳しく且つ大きく表示され、例えば救護区分の場合、担送は赤色の丸、護送は黄色の丸、独歩は青色の丸、等の記号で表示されている。２１ｂは呼出操作をした患者（或いは病室）を撮影したカメラからの映像出画部である。
また、２３は待ち受け画面の状態から表示されている各種操作スイッチであり、例えば２３ａは病棟フロアを選択するスイッチ、２３ｂは動作表示灯１７がカメラ動作中に点灯しないように消灯操作する表示灯消灯スイッチであり、マウスにより操作される。
【００５１】
このように、待ち受け画面にベッド位置や患者管理データ等を表示することで、各患者の基本情報を容易に把握できる。そして、呼び出しに対応したデータ表示部、及び患者映像をＰＯＰＵＰ表示してディスプレイの一部に出画させるので、待ち受け画面の病棟平面図を見ながら応答でき、病棟平面図を見てナースコール位置を容易に認識できるし、応答しながら各種スイッチ操作も実施でき、便利である。尚、ＰＯＰＵＰ表示はカメラ映像だけでも効果的であり、この場合、データ表示部２１ａは例えば待ち受け画面レイアウト内に固定配置しておけばよい。
【００５２】
図３は、子機１により呼び出しが成された表示の他の例を示し、患者のカメラ映像２５を拡大表示した画面を示している。また、図９はこの表示状態のディスプレイ画面写真を示している。この拡大表示は、呼び出し時の表示画面としても良いが、図２で表示されたＰＯＰＵＰ表示部２１をマウス操作により得るようにしても良い。或いは、ディスプレイをタッチパネルとして、ＰＯＰＵＰ表示部２１をタッチすることで、拡大表示するようプログラムしても便利である。
【００５３】
そして、このように拡大表示した画面では、図示するようにカメラ映像２５の周囲にカメラ角度等を調整或いは設定するための設定手段２６を併せて出画させている。電子表示手段５は、カメラ１３の角度等を調整或いは設定するためのカメラ設定機能を有し、ディスプレイ５ａ上にその設定手段２６を表示している。設定手段２６は、ズーム２６ａ、アイリス２６ｂ、フォーカス２６ｃ、カメラ角度調整ボタン２６ｄ等を備え、２６ｅはリセットボタン（プリセットボタン）、２６ｆはカメラ選択ボタンである。
このプリセットボタン２６ｅは、記憶部９の設けたカメラ情報記憶部に記憶されている子機１やセンサ３に合わせて記憶されているカメラ１３の角度、ズーム等の情報を変更するボタンで、このプリセットボタン２６ｅの操作により、調整或いは設定したカメラデータによりカメラ情報記憶部のデータが書き換えられ、次回の呼出時のカメラ動作から書き換えられたデータにより操作され、所望の角度で動作し、修正されたカメラ映像が表示される。
【００５４】
このように、子機１或いはセンサ３からの呼び出しに対して、呼び出した子機１或いはセンサ３に対応したカメラ１３が動作して、電子表示手段に患者情報と合わせて撮像映像を表示するので、同一画面に必要な情報を全て表示することができ、対応する看護師は、目線を大きく移動することなく、患者と通話しながら必要な情報を容易に得ることができる。従って、通話で応対する看護師の負担を軽減できる。
また、ディスプレイ５ａ上に設けたカメラの角度等を調整する設定手段２６により、別途カメラ調整装置を設けることなく容易にカメラの調整ができるし、通話中に、カメラ１３のプリセット方向がおかしいと気づいたときに容易に調整できる。尚、この調整は、通話中だけでなく、待ち受け状態であってもカメラ１３を動作させて、この画面を表示させることで容易に実施できる。
【００５５】
図４は、同時に複数の子機１及びセンサ３から呼び出しがあった場合のディスプレイ５ａの表示を示している。また、図１０はこの表示状態のディスプレイ画面写真を示している。図４において、２５はカメラ映像であり、ここでは４ヶ所のカメラ映像を同時表示し、そのうちの１つの映像を大きく表示している。これは、記憶部８に記録されている優先順位データを基に、優先順位を高く設定された子機１に対するカメラ映像２５ａをこのように拡大して表示し、併せて患者管理データ、医療・看護データ等もデータ表示部２１ａで表示している。この表示の優先順位データは、医療・看護データの中に個々の患者に対して設定されている。
このように、最も優先度の高い呼び出しに関する表示を大きく表示することで、看護師は順番を迷うことがなくスムーズに対応でき、看護師独自の判断によらず的確に応対することができ、次に応答すべき患者が誰か容易に認識できる。
【００５６】
図５は、センサ３により呼び出しがあった場合のディスプレイ５ａ表示を示している。また、図１１はこの表示状態のディスプレイ画面写真を示している。この表示の場合、図５に示すように、センサ３に対応したカメラ映像２５を設定手段２６と共に、画面中央にＰＯＰＵＰ表示している。このように表示することで、患者を映し出した場合と同様に、カメラ映像を見ながらカメラ調整ができる。
【００５７】
また、図６は、待ち受け状態で親機２側からの操作でカメラ１３を動作させた監視モードのディスプレイ表示、或いは火災発生等の非常時のディスプレイ表示（非常時モード）を示している。また、図１２はこの表示状態のディスプレイ画面写真を示している。ここでは、同時に４ヶ所のカメラ映像２５を表示している。監視モードの場合、例えば、表示されている病棟平面図の見たい部位をマウスでクリックする、或いはタッチパネルを用いてタッチすることで、このような表示とすることができ、わざわざ現場まで行くことなくナースステーションに居ながら気になる患者或いは共用部のチェックができる。尚、監視モードの場合、待ち受け状態で親機２側からの操作により、図３或いは図５のようなＰＯＰＵＰ画面を表示させても良い。
非常時モードの場合、廊下等共用部や救護区分が担送である患者等、救護が無ければ避難できない患者を特定して表示するよう制御部８はプログラムされている。このように特定の患者のベッド映像をディスプレイ５ａに表示することで、個々の患者に対応して的確な避難誘導ができるし、廊下等を表示することで避難状況を把握でき、的確な誘導の指示ができる。
【００５８】
次に、上記ナースコールシステムの動作を説明する。患者が子機１の呼び出しボタンを押して呼び出しが成されたら、呼出信号は廊下表示灯１５、信号線１６を介して制御装置７に送られる。そして、制御装置７がその信号を受信したら呼出音が鳴動されると共に、電子表示手段５に呼び出しのあった子機１を特定する情報が送られる。また、この時、通話部６の例えばハンドセットを取り上げれば患者と通話が可能となる。
電子表示装置５は、制御装置７から送られてくる子機情報を受けて、記憶部９に設けたカメラ情報記憶部のデータに基づいて、呼出操作をした子機１に対応したカメラ１３を動作させ、ディスプレイ５ａに呼び出した子機１に対応した病室映像或いはベッド映像をＰＯＰＵＰ等でディスプレイ５ａに表示する。同時に、子機情報をもとに記憶部９に設けた管理データ記憶部、医療・看護データ記憶部のデータを取り出して図２に示すように表示する。また同時に、電子表示手段５は制御装置７を介して対応する動作表示灯１７を点灯させる。
【００５９】
このディスプレイ５ａの表示により、対応する看護師は、患者氏名や救護区分等の患者情報と共に患者の映像を同一画面で知ることができ、患者の容体を容易に知ることができる。更に、カメラ映像２５を図３に示すように中央に大きくＰＯＰＵＰした画面とすれば、一層患者の状態を見やすくなるため、ディスプレイの映像を見ながら患者の表情、病室内の様子を確認して応答でき、患者に対する緊急性の有無を映像でも確認することができ、対処の判断がし易い。
また、カメラ動作時には動作表示灯１７が点灯するので、患者に対して動作表示灯１７消灯時にはモニターされていないという安心感を与えることができ、見られているという意識を和らげることができる。
【００６０】
また、センサ３が徘徊者等を感知して呼び出しが成されたら、子機の場合と同様に呼出信号は廊下表示灯１５、信号線１６を介して制御装置７に送られ、制御装置７がその信号を受信したら呼出音が鳴動させると共に、電子表示手段５に呼び出しのあったセンサ３を特定する情報が送られる。この情報を受けて、電子表示装置５は、記憶部９に設けたカメラ情報記憶部のデータに基づいて、呼出操作をしたセンサ３に対応したカメラ１３を動作させ、ディスプレイ５ａに呼び出したセンサ３に対応した廊下等の共用部の映像がＰＯＰＵＰ等でディスプレイ５ａに表示し、同時にセンサ情報を基に記憶部９内に設けた管理データ記憶部記憶部に記憶されたセンサ管理データから必要なデータを取り出し図５に示すように表示する。
【００６１】
このディスプレイ５ａの表示により、看護師は徘徊者或いは不審者の居る場所とその場所の映像を同一画面で知ることができ、スピーディーに対処できる。また、設定手段２６を操作することで、徘徊者を拡大して撮影することも可能であり、徘徊者等の特定も容易となる。
また、カメラ１３は、子機１或いはセンサ３の呼出信号を起動信号として動作開始するので、カメラ動作のための特別な制御スイッチを必要としないことに加え、呼び出した子機１やセンサ３に対応した患者或いは場所を容易に表示できる。
【００６２】
図４は、複数の子機１又はセンサ３から呼び出しがあった場合の表示を示している。この場合、図４に示すように全ての呼び出しの映像が順次ＰＯＰＵＰで表示され、その中で最も優先順位の高いカメラ映像２５ａが大きく表示される。尚、図３に示すように、優先度の高い呼び出しに関する表示のみをＰＯＰＵＰ画面で中央に表示しても良く、この場合画面がすっきりと見やすくなるし、応答すべき患者が一気に表示されないので、対応する看護師の負担を軽減することが可能となる。また、大きさを変えずに、単に優先順位の高い順に並べて表示するだけでも効果的である。
【００６３】
また、電子表示手段５は、上述するように制御装置７を介してカメラ近傍に設置された動作表示灯１７を点灯操作している。これは、カメラ１３を設置することで、患者に対して監視されているという意識を抱かせてしまい、カメラ１３の設置が患者に受け入れられてもらえないことが考えられる為に設置するもので、この動作表示灯１７によりカメラが動作していることを患者が知ることができ、逆に患者に安心感を与えることができる。
更に、図２に示す消灯スイッチ２３ｂを操作して消灯モードとすることで、動作表示灯１７を消灯させたままカメラ１３を撮像操作させることができる。これは、ナースステーションから患者の容体を確認する場合等監視モード表示する場合に有効であり、患者に安心感を与えつつ、気づかれずに容体をモニターすることができる。
【００６４】
尚、消灯モード動作中は、ディスプレイ画面上に大きく「表示灯消灯中」と表示すれば、看護師に対しても分かりやすい。また、親機２側からの操作で動作するカメラを廊下等の共用部に設置したカメラのみとし、個々の患者映像をモニターできないようにすれば、患者が覗き見されているという意識を持つことが無くなり、患者に不安を抱かせることがなくなる。
【００６５】
一方、非常時は次のように動作する。電子表示手段５は、火災発生等の非常時にディスプレイ５ａの表示状態を非常時モードとする非常時表示機能を有し、非常時モードでは上述する図６に示すように廊下等の複数のカメラ映像２５、２５・・がディスプレイ５ａに自動表示され、救護が無ければ避難できない患者が表示される。この表示により、ナースステーションから避難誘導を的確に行うことが可能となる。このモード切り替えは、看護師がディスプレイ５ａ上に設けられた非常スイッチ（図示せず）をタッチ操作或いはマウスによるクリック操作することで切り替わるようになっている。
尚、非常時モードの切り替えは、電子表示手段５に火災報知装置等の信号を入力する非常信号入力部を設けて、非常信号が入力されたら自動で切り替わるように設定しても良い。
【００６６】
このように、子機或いはセンサからの呼び出しに対して、呼び出した子機或いはセンサに対応したカメラが動作し、電子表示手段に呼出信号を送出した子機或いはセンサに対応する情報と合わせて撮像映像を表示するので、同一画面に必要な情報を全て表示することができる。そのため、対応する看護師は、目線を大きく移動することなく、患者と通話しながら必要な情報を得ることができ、ナースコール通話での負担を軽減できる。そして、ナースコールと徘徊監視を一体のシステムとして構成するので、システムを安価に構築できる。また、火災等の非常時に際しても、本システムは有効に活用できる。
【００６７】
次に、出画映像を保存する機能について説明する。上述するように、子機１或いはセンサ３から呼び出しが成されると対応したカメラ１３が撮像を開始し、その撮像映像がディスプレイ５ａに出画されるが、本システムでは更にこの出画映像は予め設定された時間帯においては、親機２の電子表示手段５に設けた記憶部９の中の映像記憶部９ａに自動的に保存し記憶される。尚、保存は、公知のデータ圧縮手法により圧縮されて保存される。
【００６８】
電子表示手段５には、図１３及び図１４に示すような履歴チャートが作成されて記憶されており、子機１からの呼び出しに対する映像は、図１３に示すように、映像に患者ＩＤ、患者名、呼出種別、呼出時刻等の呼出情報が保存映像に関連付けられて記憶される。但し保存する映像は更に限定し、保存する時間帯であっても呼出種別により選別している。ここでは患者からの通常の呼び出しによる映像は保存せず、その他の呼び出し（ここでは、トイレ介助の呼び出し、及びスタッフコール）の場合の映像を保存している。
そして、チャート右側の消去禁止欄は、保存映像信号の消去を禁止する為の欄で、ディスプレイ５ａに表示されたこの部位をマウスでクリック操作或いはタッチ操作することでチェックサインが記入され（或いは消去禁止欄の色を変化させて）消去が不可能になるよう設定されている。図１３では、Ｃ１欄がチェックされ、その保存映像が消去禁止となっていることを示している。
【００６９】
センサ３からの呼び出しに対する映像は、図１４に示すように、映像にカメラＩＤ、撮影場所（共用部名）、センサ検知時刻（センサ呼出時刻）等の呼出情報が関連付けられて保存される。また、図１３と同様に消去禁止欄を備え、Ｃ２，Ｃ３の欄がチェックされ、保存映像の消去を禁止している。
尚、保存動作する時間帯の設定、及び呼出種別の設定等は、例えば患者管理データ等の入力時に可能であり、保存動作する時間帯の設定、及び呼出種別の設定等と合わせて、親機２で直接設定できるし、サーバ１４から設定することも可能となっている。勿論何れか一方から設定できれば良い。また、撮影場所や撮影時間等の情報を出画映像にはめ込んで表示させれば、保存映像自体にその映像情報が挿入されるのでいちいちチャートを見て確認する必要が無くなる。
【００７０】
そして、これらのチャートは操作スイッチ２３の中の「呼出履歴ボタン」（図示せず）を操作することで出画される。チャートの保存映像欄の個々の映像表示部Ｄはアイコンで作成されており、保存映像の中の見たい保存映像欄をクリック操作或いはタッチ操作することで、映像記憶部９ａからタッチした欄の映像が選択され、別画面表示又はポップアップ表示され保存映像を見ることができる。
更に、操作スイッチ２３の中の「映像一覧ボタン」（図示せず）を操作すれば、図１５に示すような保存映像の一覧（ビューア）が表示される。図１５において、２８がビューア表示部、２９が保存映像の静止画であり、スクロールバー２８ａを操作して静止画２９を検索し、見たい静止画２９をクリック操作或いはタッチ操作することでその映像をポップアップ表示させることができるようになっている。尚、２９ａは映像ＩＤ情報を示している。
このようにビューア表示することで、保存した映像信号を一覧にして見ることができ、見たい映像を速やかに選択できる。また、保存映像自体にその映像情報が挿入されるのでいちいちチャートを見て確認する必要が無くなる。
【００７１】
サーバ１４に設けられた第２の映像記憶部１４ａには、親機２の操作により、映像記憶部９ａに保存された映像のうち選択された映像が呼出情報と併せて転送されて保存される。こうして、サーバ１４に保存された映像情報は、ＬＡＮ、或いは電子通信網を介して遠隔地で閲覧が可能であり、パーソナルコンピュータ等で記憶媒体にダウンロードすれば、例えば徘徊者の徘徊傾向調査等の調査に便利である。
尚、親機２に映像記憶部９ａを設けずに最初からサーバ１４の第２の映像記憶部１４ａに全ての映像を保存させても良く、そうすれば、親機２の負担を軽減できる。また、親機２とサーバ１４の双方に保存すれば、一方をバックアップデータにできる。
また、親機２は映像記憶部９ａの空き容量を随時把握しており、空き容量が無くなったら、古い保存映像データから書き換えるよう保存動作する。但し、この時、消去不可とした映像は消去されることはない。
【００７２】
一方、映像の保存操作をする時間帯において、センサ３から呼び出しがあったら、制御装置７は親機２等に設けられている警報ブザー（図示せず）を鳴らす。例えば、センサ３近くに廊下表示灯１５があれば、その廊下表示灯１５と親機２の警報ブザーが鳴動するし、センサ３が単独で設置されていれば、親機２にて警報ブザーが鳴動する。この鳴動は、鳴動している親機２や廊下表示灯１５を所定の操作をする（例えば、親機２であればディスプレイ５ａに停止ボタンが表示され、そのボタンをクリック操作又はタッチ操作するし、廊下表示灯１５であれば停止ボタンを押下する）ことで停止し、制御装置７等は待受状態に戻る。
こうして、例えば患者が徘徊している場合や不審者が侵入した場合、その映像信号を保存するのに加え報知するので、看護師は速やかにそれに対処できるし、警報を発している親機又は廊下表示灯の所定の操作により警報動作は停止するので、看護師はセンサ動作場所を認識できるし、警報が長時間発せられることがない。
【００７３】
また、自動録画やブザーによる警報動作は、ディスプレイ５ａの操作スイッチ２３の中に設けられた停止手段としての「解除ボタン」（図示せず）を操作することで解除できるようになっており、看護師が見回りに行く場合や緊急時、或いはメンテナンス等の際に、映像の保存や警報動作を容易に停止させることができ、不必要な警報を報ずるのを防ぐことができる。
【００７４】
以上説明したように、カメラから送られてディスプレイに出画表示した映像信号を保存するので、呼び出しをした患者の状態やセンサ動作による徘徊者等のカメラ映像を後で見ることができ、患者の状態を的確に判断したり徘徊者や不審者の特定に役立つ。
また、ディスプレイ出画映像を保存する／しないを時間帯により設定することで、例えば見舞客の往来が多い時間帯は保存しないよう設定すれば、患者以外による子機の誤操作やセンサの誤動作によるカメラ映像をいちいち保存することがなくなるし、更に呼出種別毎に設定することで、映像記憶部の容量を更に削減できる。
また、映像記憶部の空き容量が無くなったら保存された古い映像信号から順に上書きするので、映像記憶部の空き容量が無くなっても、重要度の高い新しいデータが消失することが無い。
更に、保存された映像信号は、子機或いはセンサからの呼出時刻等の呼出情報に関連付けられて記憶されるので、個々の映像信号の保存時間（呼出時刻）や撮影場所或いは撮影患者名を知ることができ、患者がどのような要求時に呼び出しが成されたか判断するのに役立つ。
また、保存された映像信号は、映像信号ごとに消去可／不可を設定できるので、重要な映像信号は消去されることがない。
【００７５】
以上、本発明のナースコールシステムを説明したが、このナースコールシステムの実現には、カメラ１３と電子表示手段５を接続するハブ１１、ＬＡＮケーブル１２が必要になり、従来のナースコールシステムと大きく異なっているように見える。しかし、病院の中にはディスプレイで表示するデータをオーダリングシステム等の他の病院管理システムからもらっているものもあり、それらのシステムでは親機と他の病院管理システムをハブ、ＬＡＮケーブルで既に接続している。そのため、この設備を使用すれば、ＷＥＢカメラの施工コストを低減できる。
【００７６】
尚、上記実施形態は患者が呼出操作をするナースコールシステムと徘徊者を感知して看護師を呼び出す徘徊者監視装置とを一体化したシステムとなっているが、何れか一方の呼び出しに対応するシステムとして構成しても良く、この場合も同一画面に必要な情報を全て表示するため、対応する看護師は、目線を大きく移動することなく必要な情報を得ることができるので、呼び出しの対応に対する負担を軽減できる。
また、カメラのズーム及びパン／チルトの操作は、ＰＯＰＵＰ表示により出画したカメラ映像周囲に操作部を設けて実施しているが、例えば図７に示すように出画したカメラ映像の中で中央に移動したい部位をダブルクリックすることでセンターに移動するようにし、右隅に設けたズームバーを操作して好みの大きさにズーム操作するようにしても良いし、拡大したい部位を直接ダブルクリックによりズームするようにしても良い。
更に、ディスプレイ５ａに出画表示するカメラ撮像映像及び保存する映像は動画を前提としているが、勿論データ量の少ない静止画であっても良い。
また、管理データ記憶部と医療・看護データ記憶部を別々のものとして記載したが、これらのデータを一体として１つのデータとして記憶しても良い。また、管理データ記憶部、医療・看護データ記憶部からデータを取り出してＰＯＰＵＰ表示している患者は１名であるが、複数の患者から呼び出された場合には、上記実施形態のように最優先の患者のみのデータ表示に留まらず、複数の患者データをＰＯＰＵＰ表示することも好適である。
【００７７】
また、ディスプレイ５ａに出画している出画映像の保存は、上記実施形態では、時間帯及び呼出種別により限定して実施しているが、映像記憶部の容量を気にしなければ、保存する時間帯や呼出種別を設定せずディスプレイ５ａに出画した全ての映像を保存させても良い。
また、患者毎に保存する／しないを設定して実施することも可能であり、この場合も全ての映像を保存するのに比べれば映像記憶部の使用を抑制でき、無意味な映像が保存されることを少なくできる。
更に、映像を自動保存する時間帯を設定せずに、出画画面に録画ボタンを隣接させて表示させて、映像を見ながらその都度看護師に保存するかどうか決定させても良い。この場合、看護師の負担は増加するが、保存操作は簡易であるし、表示された映像を見ながら保存の可否を判断するので、不必要な映像信号を保存するようなことがなくなる。また、このように録画ボタンを映像に合わせて出画させた場合、ナースステーションから患者の容体を確認する監視モードの状態でも容易に出画映像の保存がで可能となり、有効に活用できる。
【図面の簡単な説明】
【００７８】
【図１】本発明に係るナースコールシステムの一例を示すブロック図である。
【図２】図１の電子表示手段の表示画面の一例を示し、患者からの呼び出しがあった場合の表示画面図である。
【図３】患者からの呼び出しがあった場合の電子表示手段の表示画面の他の例を示す図である。
【図４】複数の子機或いはセンサから呼び出しがあった場合の電子表示手段の表示画面図である。
【図５】センサによる呼び出しがあった場合の電子表示手段の表示画面図である。
【図６】複数のカメラ映像を表示させた電子表示手段の表示画面図である。
【図７】カメラ映像操作形態の一例を示す電子表示手段の画面説明図である。
【図８】図２に対応する電子表示手段の画面写真図である。
【図９】図３に対応する電子表示手段の画面写真図である。
【図１０】図４に対応する電子表示手段の画面写真図である。
【図１１】図５に対応する電子表示手段の画面写真図である。
【図１２】図６に対応する電子表示手段の画面写真図である。
【図１３】子機からの呼び出しによる保存映像の一覧表示を示す説明図である。
【図１４】センサからの呼び出しによる保存映像の一覧表示を示す説明図である。
【図１５】保存映像を一覧出画した表示画面図である。
【符号の説明】
【００７９】
１・・子機、２・・親機、３・・センサ、５・・電子表示手段、５ａ・・ディスプレイ、５ｂ・・本体、６・・通話部、７・・制御装置、８・・制御部、９・・記憶部、９ａ・・映像記憶部、１１・・ハブ、１２・・ＬＡＮケーブル、１３・・カメラ、１４・・サーバ、１４ａ・・第２の映像記憶部、１５・・廊下表示灯、１６・・信号線、１７・・動作表示灯、２１・・ＰＯＰＵＰ表示部、２１ａ・・データ表示部、２１ｂ・・カメラ映像出画部、２３・・操作スイッチ、２３ｂ・・消灯スイッチ、２５・・カメラ映像、２６・・設定手段、２６ａ・・プリセットボタン、２８・・ビューア表示部、２９・・保存映像。
【図１】
2005151540.tif 000003
【図２】
2005151540.tif 000004
【図３】
2005151540.tif 000005
【図４】
2005151540.tif 000006
【図５】
2005151540.tif 000007
【図６】
2005151540.tif 000008
【図７】
2005151540.tif 000009
【図１３】
2005151540.tif 000010
【図１４】
2005151540.tif 000011
【図１５】
2005151540.tif 000012
【図８】
2005151540.tif 000013
【図９】
2005151540.tif 000014
【図１０】
2005151540.tif 000015
【図１１】
2005151540.tif 000016
【図１２】
2005151540.tif 000017